(57)【要約】【課題】新規な構成にて小型化可能な車載用車両認識装置を提供する。【解決手段】画像センサにより車両前方の進行方向を撮像し、撮像データから先行車の尾灯を検出して先行車を認識する際に、画像センサでの各画素を構成する受光素子において、シリコン基板２０での受光素子形成領域に浅いＰＮ接合部と深いＰＮ接合部を形成し、浅いＰＮ接合部を構成するＰ型領域２２とＮ型領域２１との間に流れる、短波長の光の強度に応じた電流の出力と、深いＰＮ接合部を構成するＰ型シリコン基板２０とＮ型領域２１との間に流れる、長波長の光の強度に応じた電流の出力との比により白色光と先行車の尾灯からの赤色光を判別する。【選択図】図４
2007300054.tif 000002
【特許請求の範囲】
【請求項１】
画像センサ（３）により車両前方の進行方向を撮像し、撮像データから先行車（３０）の尾灯（３１）を検出して先行車（３０）を認識する車載用車両認識装置であって、
画像センサ（３）での各画素を構成する受光素子（１１）において、半導体基板（２０）での受光素子形成領域に浅いＰＮ接合部と深いＰＮ接合部を形成し、浅いＰＮ接合部を構成する第１導電型の不純物拡散領域（２２）と第２導電型の不純物拡散領域（２１）との間に流れる、短波長の光の強度に応じた電流の出力と、深いＰＮ接合部を構成する第１導電型の不純物拡散領域（２０）と第２導電型の不純物拡散領域（２１）との間に流れる、長波長の光の強度に応じた電流の出力との比により白色光と先行車（３０）の尾灯（３１）からの赤色光を判別するようにしたことを特徴とする車載用車両認識装置。
【請求項２】
第１導電型の不純物拡散領域となる第１導電型のシリコン基板（２０）の表層部に第２導電型の不純物拡散領域（２１）を形成するとともに、当該第２導電型の不純物拡散領域（２１）においてシリコン基板（２０）の表層部に前記第２導電型の不純物拡散領域（２１）よりも浅い第１導電型の不純物拡散領域（２２）を形成して、第２導電型の不純物拡散領域（２１）の底面と第１導電型のシリコン基板（２０）との界面にて深いＰＮ接合部を形成するとともに第１導電型の不純物拡散領域（２２）の底面と第２導電型の不純物拡散領域（２１）との界面にて浅いＰＮ接合部を形成したことを特徴とする請求項１に記載の車載用車両認識装置。
【請求項３】
画像センサ（３）により車両前方の進行方向を撮像し、撮像データから先行車（３０）の尾灯（３１）を検出して先行車（３０）を認識する車載用車両認識装置であって、
画像センサ（３）での各画素（６０）を、短波長の光の強度に応じた出力の第１受光素子（６１）と、第１受光素子（６１）に対し横方向に配置され、長波長の光の強度に応じた出力の第２受光素子（６２）とで構成し、この異なる分光感度特性をもつ第１および第２受光素子（６１，６２）の出力の比により白色光と先行車（３０）の尾灯（３１）からの赤色光を判別するようにしたことを特徴とする車載用車両認識装置。
【請求項４】
前記第２受光素子（６２）は、基板（７０）に、長波長の光以外の光も光電変換可能な受光部（６２ａ）が形成され、当該受光部（６２ａ）上に長波長の光のみを通す色フィルタ（７５）が配置されてなることを特徴とする請求項３に記載の車載用車両認識装置。
【請求項５】
前記長波長の光のみを通す色フィルタ（７５）は、ポリマー自身で構成する、あるいは、染料または顔料を含んだポリマーで構成したことを特徴とする請求項４に記載の車載用車両認識装置。
【請求項６】
前記長波長の光のみを通す色フィルタ（７７）は、ＣＭＯＳ集積回路を形成する工程で形成される膜にて構成されていることを特徴とする請求項４に記載の車載用車両認識装置。
【請求項７】
前記長波長の光のみを通す色フィルタ（７７）は、前記受光部（６２ａ）またはＣＭＯＳ半導体回路を保護する保護膜を兼ねていることを特徴とする請求項４に記載の車載用車両認識装置。
【請求項８】
前記長波長の光のみを通す色フィルタ（７８）は、前記受光部（６２ａ）上に形成されるマイクロレンズを兼ねていることを特徴とする請求項４に記載の車載用車両認識装置。
【請求項９】
同一画素内に、２つの第１受光素子（６１）と２つの第２受光素子（６２）を、互いに交差するようにして配置してなることを特徴とする請求項３〜８のいずれか１項に記載の車載用車両認識装置。
【請求項１０】
第１受光素子（６１）と第２受光素子（６２）の出力は、画像センサとして同一位置の画素信号として処理されることを特徴とする請求項３〜９のいずれか１項に記載の車載用車両認識装置。
【請求項１１】
第１受光素子（６１）と第２受光素子（６２）の出力は、画像センサとして同一時間の画素信号として処理されることを特徴とする請求項３〜１０のいずれか１項に記載の車載用車両認識装置。
【請求項１２】
画素への光をぼかして前記第１受光素子（６１）および第２受光素子（６２）に光が回り込むようにしたことを特徴とする請求項３〜１１のいずれか１項に記載の車載用車両認識装置。
【発明の詳細な説明】
【技術分野】
【０００１】
本発明は、車載用車両認識装置に関するものである。
【背景技術】
【０００２】
車載用車両認識装置において、夜間、前方に存在する車両を検出する場合、対向車での光源である前照灯（ヘッドランプ）または先行車の光源である尾灯（テールランプ）を認識する手法がある。
【０００３】
対向車の前照灯（ヘッドランプ）は比較的明るいため認識しやすいが、先行車の尾灯（テールランプ）は暗いため反射板や外乱光を他車の尾灯（テールランプ）と誤認識してしまう場合がある。そのため、先行車の尾灯（テールランプ）と他の光とを識別するため、尾灯（テールランプ）が赤色であることを利用して尾灯（テールランプ）の赤色光と外乱光である白色光とを判別する方法が採られる場合がある。
【０００４】
従来、赤色光・白色光の判別認識を行なう手段としては、特許文献１のように、受光素子（画素）およびレンズを２つずつ用いて、一方の受光素子（画素）については光学的な色フィルタを装着し、レンズを通して全く同一の画角・画像をとる構成とする。そして、色フィルタが有る受光素子の出力と、色フィルタの無い受光素子の出力を比較する。これにより赤色光と白色光の判別を行うことができる。
【特許文献１】特表２００１−５１９７４４号公報
【発明の開示】
【発明が解決しようとする課題】
【０００５】
ところがこのようにすると、２つの光学系が必要となり、またその光学系は同一の画角を構成する必要があることから、レンズの組付けに高い組み立て精度を必要とするとともに大型化を招くという問題があった。
【０００６】
本発明はこのような背景の下になされたものであり、その目的は、新規な構成にて小型化可能な車載用車両認識装置を提供することにある。
【課題を解決するための手段】
【０００７】
上記の課題を解決するために、請求項１に記載の発明では、画像センサでの各画素を構成する受光素子において、半導体基板での受光素子形成領域に浅いＰＮ接合部と深いＰＮ接合部を形成し、浅いＰＮ接合部を構成する第１導電型の不純物拡散領域と第２導電型の不純物拡散領域との間に流れる、短波長の光の強度に応じた電流の出力と、深いＰＮ接合部を構成する第１導電型の不純物拡散領域と第２導電型の不純物拡散領域との間に流れる、長波長の光の強度に応じた電流の出力との比により白色光と先行車の尾灯からの赤色光を判別するようにしたことを特徴とする車載用車両認識装置をその要旨とする。
【０００８】
請求項１に記載の発明によれば、浅いＰＮ接合部を構成する第１導電型の不純物拡散領域と第２導電型の不純物拡散領域との間に流れる、短波長の光の強度に応じた電流の出力と、深いＰＮ接合部を構成する第１導電型の不純物拡散領域と第２導電型の不純物拡散領域との間に流れる、長波長の光の強度に応じた電流の出力との比により、白色光と先行車の尾灯からの赤色光が判別される。よって、１つの画素で色フィルタを使用せずに白色光と赤色光を判別でき、組み立て容易であるとともに小型化を図ることが可能となる。
【０００９】
ここで、請求項２に記載のように、請求項１に記載の車載用車両認識装置において、第１導電型の不純物拡散領域となる第１導電型のシリコン基板の表層部に第２導電型の不純物拡散領域を形成するとともに、当該第２導電型の不純物拡散領域においてシリコン基板の表層部に前記第２導電型の不純物拡散領域よりも浅い第１導電型の不純物拡散領域を形成して、第２導電型の不純物拡散領域の底面と第１導電型のシリコン基板との界面にて深いＰＮ接合部を形成するとともに第１導電型の不純物拡散領域の底面と第２導電型の不純物拡散領域との界面にて浅いＰＮ接合部を形成すると、実用上好ましいものとなる。
【００１０】
請求項３に記載の発明では、画像センサでの各画素を、短波長の光の強度に応じた出力の第１受光素子と、第１受光素子に対し横方向に配置され、長波長の光の強度に応じた出力の第２受光素子とで構成し、この異なる分光感度特性をもつ第１および第２受光素子の出力の比により白色光と先行車の尾灯からの赤色光を判別するようにしたことを特徴とする車載用車両認識装置をその要旨とする。
【００１１】
請求項３に記載の発明によれば、画像センサでの各画素に配置された異なる分光感度特性をもつ第１および第２受光素子の出力の比により白色光と先行車の尾灯からの赤色光が判別される。よって、１つの画素で白色光と赤色光を判別でき、小型化を図ることが可能となる。
【００１２】
ここで、請求項４に記載のように、請求項３に記載の車載用車両認識装置において第２受光素子は、基板に、長波長の光以外の光も光電変換可能な受光部が形成され、当該受光部上に長波長の光のみを通す色フィルタが配置されてなる構成とするとよく、特に、請求項５に記載のように、前記長波長の光のみを通す色フィルタは、ポリマー自身で構成する、あるいは、染料または顔料を含んだポリマーで構成すると、一般的なカラー画像センサに用いられるような色フィルタを使用することにより、特殊な工程を使わずに色分離を行うことができる。
【００１３】
請求項６に記載のように、請求項４に記載の車載用車両認識装置において長波長の光のみを通す色フィルタは、ＣＭＯＳ集積回路を形成する工程で形成される膜にて構成されていたり、請求項７に記載のように、請求項４に記載の車載用車両認識装置において長波長の光のみを通す色フィルタは、前記受光部またはＣＭＯＳ半導体回路を保護する保護膜を兼ねていると、通常のＣＭＯＳ集積回路を形成する工程において、例えば、保護膜にて色フィルタを構成することにより特殊な工程を使わずに色分離を行うことができる。
【００１４】
請求項８に記載のように、請求項４に記載の車載用車両認識装置において長波長の光のみを通す色フィルタは、前記受光部上に形成されるマイクロレンズを兼ねていると、通常の画像センサにて形成するマイクロレンズに色フィルタ機能を持たせることにより、特殊なフィルタ形成工程を使わずに色分離を行うことができる。
【００１５】
請求項９に記載のように、請求項３〜８のいずれか１項に記載の車載用車両認識装置において同一画素内に、２つの第１受光素子と２つの第２受光素子を、互いに交差するようにして配置すると、画素に投影された像が小さい場合においても、第１および第２受光素子の両方に同程度に光が当たるため、同一位置信号と見なすことができる。
【００１６】
請求項１０に記載のように、請求項３〜９のいずれか１項に記載の車載用車両認識装置において第１受光素子と第２受光素子の出力は、画像センサとして同一位置の画素信号として処理されるとよく、また、請求項１１に記載のように、請求項３〜１０のいずれか１項に記載の車載用車両認識装置において第１受光素子と第２受光素子の出力は、画像センサとして同一時間の画素信号として処理されるものとする。即ち、第１および第２受光素子が互いに接近しているので同一画素に投影された像においては同一位置の信号として処理することができる。また、読み込むタイミングを同じにすることにより、同一時間の信号であると見なすことができる。
【００１７】
また、請求項１２に記載のように、請求項３〜１１のいずれか１項に記載の車載用車両認識装置において、画素への光をぼかして前記第１受光素子および第２受光素子に光が回り込むようにすると、結像面積が小さい場合（遠くの光の場合）、像を大きくして第１および第２の受光素子に当てることができる。
【発明を実施するための最良の形態】
【００１８】
（第１の実施の形態）
以下、本発明を具体化した第１の実施形態を図面に従って説明する。
本実施形態においては車両用ライト制御装置に適用しており、図１には全体の概略構成を示す。
【００１９】
図１において、車両１のルームミラー２の裏面には画像センサ（カメラ）３が設けられている。この画像センサ３により、車両１の進行方向における前方を撮像することができるようになっている。画像センサとして、ＣＣＤやＣ−ＭＯＳが挙げられる。画像センサ３はマイクロプロセッサ４に接続され、画像センサ３により撮像された撮像データがマイクロプロセッサ４に送られる。マイクロプロセッサ４は当該撮像データから各種の処理を実行する。
【００２０】
本実施形態の車両用ライト制御装置においては、画像センサ３とマイクロプロセッサ４により車載用車両認識装置が構成され、画像センサ３により車両前方の進行方向が撮像され、マイクロプロセッサ４により撮像データから先行車の尾灯を検出して先行車を認識することができるようになっている。
【００２１】
マイクロプロセッサ４にはライト制御用の電子制御装置（ＥＣＵ）５が接続されている。電子制御装置５にてヘッドランプ６を制御することができる。つまり、電子制御装置５はマイクロプロセッサ４による先行車の認識結果に基づいてヘッドランプ６をハイビーム／ロービームに制御するようになっている。
【００２２】
図２は、本実施形態における車載用車両認識装置の光学系の構成図である。図３は、画像センサ３におけるセンサチップの斜視図である。図４はセンサチップにおける１画素中の受光素子の縦断面図である。
【００２３】
図２において、レンズ１５とセンサチップ１０を具備している。レンズ１５の焦点位置にセンサチップ１０が配置されている。そして、画像センサ３において車両前方からの光がレンズ１５を通してセンサチップ１０に集光して、マイクロプロセッサ４において車両前方に存在する車両における光源である尾灯（テールランプ）を検知して車両を検出することができるようになっている。
【００２４】
図３において、センサチップ１０には、画素を構成する受光素子１１が多数形成されている。本実施形態では受光素子としてフォトダイオードを使用している。
図４において、第１導電型のシリコン基板としてのＰ型シリコン基板２０の上面においてその表層部には第２導電型の不純物拡散領域としてのＮ型領域２１が深く形成されている。Ｎ型領域２１においてＰ型シリコン基板２０の表層部には第１導電型の不純物拡散領域としてのＰ型領域２２がＮ型領域２１よりも浅く形成され、Ｎ型領域２１の底面とＰ型シリコン基板２０との界面にて深いＰＮ接合部が形成されるとともにＰ型領域２２の底面とＮ型領域２１との界面にて浅いＰＮ接合部が形成されている。
【００２５】
このようにして、シリコン基板２０の上面から深い位置にＰ型領域（２０）とＮ型領域２１の界面が位置するとともに、シリコン基板２０の上面から浅い位置にＮ型領域２１とＰ型領域２２の界面が位置しており、基板での受光素子形成領域において浅いＰＮ接合部（青〜緑受光部）と深いＰＮ接合部（赤受光部）が形成されている。
【００２６】
Ｐ型シリコン基板２０の下面（裏面）には第１のアノード電極２３が形成されている。Ｐ型シリコン基板２０の上面にはカソード電極２４および第２のアノード電極２５が配置され、カソード電極２４はＮ型領域２１と電気的に接続され、第２のアノード電極２５はＰ型領域２２と電気的に接続されている。そして、カソード電極２４と第２のアノード電極２５によりＮ型領域２１とＰ型領域２２との間に流れる電流を取り出すことができるようになっている。また、カソード電極２４と第１のアノード電極２３によりＰ型シリコン基板２０とＮ型領域２１との間に流れる電流を取り出すことができるようになっている。
【００２７】
次に、車載用車両認識装置（車両用ライト制御装置）の作用について説明する。
画像センサ３は車両前方の進行方向を撮像している。ここで、図４において、光は波長によりシリコンでの到達深さが異なる。波長が長いほど、光子はシリコン中へ深く入り、電子・正孔対ができ光電流として出力される。よって、画像センサ３での各画素を構成する受光素子１１においては、半導体基板としてのシリコン基板２０での受光素子形成領域において、浅いＰＮ接合部で短波長の光が検出され、また、深いＰＮ接合部で長波長の光が検出される。つまり、浅い位置のＰＮ接合部で青〜緑色検出用の受光素子を構成することができるとともに、深い位置のＰＮ接合部で赤色検出用の受光素子を構成することができる。
【００２８】
１画素中に実質的に２つの受光素子を形成すると、その分光感度特性は、図５に示すようになる。
光源の分光放射強度は、白色光と赤色光とで概略図７である。そのため、図５のような分光感度特性を持った受光素子で白色光と赤色光を受けた場合、その受光素子出力を比較すると、概略、図６のようになる。よって、深いＰＮ接合部と浅いＰＮ接合部の出力を比較することにより、受光した光が白色光か赤色光かを判別することができる。つまり、浅いＰＮ接合部での短波長の光（青〜緑の光）と、深いＰＮ接合部での長波長の光（赤色光）の比率をとると、白色光については浅いＰＮ接合部での短波長の光（青〜緑の光）の出力と、深いＰＮ接合部での長波長の光（赤色光）の出力の比が「１」に近い値をとり、赤色光については深いＰＮ接合部での長波長の光（赤色光）の出力に比べ浅いＰＮ接合部での短波長の光（青〜緑の光）の出力が小さい。これにより、白色光と先行車の尾灯からの赤色光を判別することができる。
【００２９】
具体的には、画像センサ３での浅いＰＮ接合部において短波長の光を、深いＰＮ接合部において長波長の光を検出した後に、マイクロプロセッサ４は浅いＰＮ接合部での短波長の光と深いＰＮ接合部での長波長の光の比率を求め、その比率がほぼ等しいならば白色光であるとし、赤受光部出力よりも青〜緑受光部出力が小さい場合には赤色光と判別する。
【００３０】
より具体的な画像例を用いて以下説明する。
今、夜間において図８に示すように反射板５０が設置されている道路を走行し、先行車３０および対向車４０が在り、尾灯（テールランプ）３１および前照灯（ヘッドランプ）４１が点灯している。画像センサ３により撮像してマイクロプロセッサ４で処理することにより、図９に示すように、赤色光を抽出して先行車の尾灯３１を検出することができ、これにより夜間走行において先行車が在ることを認識できる。
【００３１】
つまり、対向車の前照灯（ヘッドランプ）４１は比較的明るいため認識しやすいが、先行車の尾灯（テールランプ）３１は暗いため反射板５０や外乱光を他車の尾灯と誤認識しやすいが、本実施形態においては尾灯が赤色であることを利用して先行車の尾灯と他の光とを識別することができる（尾灯の赤色光と外乱光である白色光とを判別することができる）。
【００３２】
この車載用車両認識装置における結果に基づいて車両用ライト制御装置はヘッドランプ６を制御する。例えば、夜間において先行車が在ると自車の前照灯（ヘッドライト）をロービームにする。
【００３３】
上記実施形態によれば、以下のような効果を得ることができる。
（１）車載用車両認識装置の構成として、画像センサ３により車両前方の進行方向を撮像し、撮像データから先行車３０の尾灯３１を検出して先行車３０を認識する際に、画像センサ３での各画素を構成する受光素子１１において、半導体基板としてのシリコン基板２０での受光素子形成領域に浅いＰＮ接合部と深いＰＮ接合部を形成し、浅いＰＮ接合部を構成するＰ型領域（第１導電型の不純物拡散領域）２２とＮ型領域（第２導電型の不純物拡散領域）２１との間に流れる、短波長の光の強度に応じた電流の出力と、深いＰＮ接合部を構成するＰ型シリコン基板（第１導電型の不純物拡散領域）２０とＮ型領域（第２導電型の不純物拡散領域）２１との間に流れる、長波長の光の強度に応じた電流の出力との比により白色光と先行車３０の尾灯３１からの赤色光を判別するようにした。よって、１つの画素で色フィルタを使用せずに白色光と赤色光を判別でき、その結果、共通のレンズ１５（図２参照）を用い、２つの光学系を不要にでき組み立て容易であるとともに小型化可能な車載用車両認識装置を提供することができる。
【００３４】
詳しくは、従来、光学系レンズは、色フィルタが有る受光素子（画素）と色フィルタの無い受光素子（画素）とで全く同一の画角・画像をとる必要があるため、レンズ形状およびレンズ組付に高精度が要求される。即ち、２つの受光素子（画素）、色フィルタ、レンズ等が必要となるため大型化を招き、組付け部品も増え、実装時の高精度組み付けという影響でコストも上がるという問題があった。これに対し、本実施形態においては、車両認識装置に使われる画像センサの各画素を、深さ方向に分割して、各画素（受光素子１１）で分光感度特性が異なる受光部を形成することにより、同一画素内で、車両ランプの赤色光・白色光を判別・認識できる。つまり、受光素子は深さにより分光感度特性が異なることを考慮し、同一画素内で縦方向に分光感度特性の異なる受光部を形成することにより、従来のような色フィルタおよび複数の受光素子（画素）を使用せずに白色光と赤色光を判別でき、高精度な組付け精度を必要とせず、小型で、低コストな車両認識装置を構成することができる。
【００３５】
（２）特に、Ｐ型領域となるＰ型シリコン基板２０の表層部に、Ｎ型領域２１を形成するとともに、Ｎ型領域２１においてシリコン基板２０の表層部にＮ型領域２１よりも浅いＰ型領域２２を形成して、Ｎ型領域２１の底面とＰ型のシリコン基板２０との界面にて深いＰＮ接合部を形成するとともにＰ型領域２２の底面とＮ型領域２１との界面にて浅いＰＮ接合部を形成したので、光軸を１つにすることができる。
（第２の実施の形態）
次に、本発明を具体化した第２の実施形態を図面に従って説明する。
【００３６】
本実施形態における車載用車両認識装置も、画像センサ３により車両前方の進行方向を撮像し、撮像データから先行車３０の尾灯３１を検出して先行車３０を認識する装置である。
【００３７】
第１の実施形態においては、多数の画素を配列した画像センサ３での同一画素エリア内に、短波長の光の強度に応じた電気信号と、長波長の光の強度に応じた電気信号とを出力する２つの異なる分光感度特性をもつ受光素子を形成し、その２つの出力信号比により白色光と赤色光（尾灯）を判別した。詳しくは、第１の実施形態においては、シリコン基板に浅い位置のＰＮ接合部と深い位置のＰＮ接合部を形成し、短波長と長波長の分光感度特性を持つ受光素子を構成し、短波長側の光出力と、長波長側の光出力とを比較して白色光と赤色光との判別を行う。このように深さ方向に深さが異なるＰＮ接合を形成する場合には、短波長と長波長の分光感度特性は、ともに、波長に対してなだらかな曲線となりやすく、シャープな立ち上がり、立ち下り特性を得にくく、白色光と赤色光の明確な色分離を行うという点で改良の余地がある。第２の実施形態ではこの点を考慮して構成している。
【００３８】
図１０に示すように、画像センサ３での各画素６０において、同一画素エリア内に第１および第２受光素子６１，６２が配置され、各画素６０は第１受光素子６１と第２受光素子６２とで構成されている。第１受光素子６１は、短波長の光の強度に応じた電流（電気信号）を出力する。第２受光素子６２は、第１受光素子６１に対し横方向に隣り合って配置され、長波長の光の強度に応じた電流（電気信号）を出力する。この異なる分光感度特性をもつ第１および第２受光素子６１，６２の出力の比により白色光と先行車３０の尾灯３１からの赤色光が判別される。
【００３９】
具体例を挙げると、第１受光素子６１は、例えば５００ｎｍの緑色の光を短波長の光としてその強度に応じた電気信号を出力する。また、第２受光素子６２は、例えば７００ｎｍの赤色の光を長波長の光としてその強度に応じた電気信号を出力する。
【００４０】
第２受光素子６２に関して、図１１に示す構成となっている。図１１において、Ｐ型シリコン基板７０の表層部の所定領域にＮ型不純物拡散領域７１が形成され、これにより、長波長の光以外の光も光電変換可能な受光部６２ａが構成されている。シリコン基板７０上には配線７２が配置されるとともにその上に遮光膜７３が配置され、さらにその上は２層の絶縁膜７４にて覆われている。絶縁膜７４の上面は平坦化され、その平坦面には色フィルタ７５および保護膜７６が形成され、色フィルタ７５は受光部６２ａの真上に位置している。そして、色フィルタ７５を通して長波長の光が受光部６２ａに受光される。この色フィルタ７５は、ポリマー自身で構成する、あるいは、染料または顔料を含んだポリマーで構成している。
【００４１】
このように、第２受光素子６２について、基板７０に、長波長の光以外の光も光電変換可能な受光部６２ａが形成され、この受光部６２ａ上に長波長の光のみを通す色フィルタ７５が配置されている。第１受光素子６１については、緑色フィルタが設置され、緑色の光のみを光電変換するようになっている。
【００４２】
図１２には色フィルタを受光部上に配置して、異なる分光感度特性を持たせた場合の各受光素子の分光感度特性を示す。図１３には、その受光素子での白色光と赤色光の各受光素子での出力比の原理を示す。
【００４３】
図１４には、後段の信号処理回路を示す。図１４において、センサチップ１０の各画素６０に対しシフトレジスタ８０とシフトレジスタ８１が接続されている。各画素６０での受光に伴う電気信号（データ）がアンプ８２を通して処理回路８３に送られる。
【００４４】
次に、作動について説明する。
同一画素内に、異なる分光感度特性を持った受光素子６１，６２を配置したため、その画素６０に投影された像においては、両受光素子６１，６２が互いに接近しているので後段の処理回路８３において、同一位置の信号として処理することができる。また、読み込みタイミングは同じであるので、同一時間の信号であると見なすことができる。
【００４５】
例えば、図１２に示すような分光輝度特性を持った白色光と赤色光が、その画素６０上に結像した場合、次のようになる。
図１３に示すように、緑色フィルタがかかった受光素子と赤色フィルタがかかった受光素子の出力は、白色光の場合は、ほぼ同一となるが、赤色光の場合は、赤色フィルタがかかった受光素子の方が大きくなる。よって、その出力比を比較することにより、白色光か赤色光かを判別することができる。
【００４６】
このようにして、図１３に示すように第１と第２受光素子６１，６２の出力比を比較することにより、白色光と赤色光を判別することができる。その結果、同一画素内に、異なる分光感度特性を持つ受光素子６１，６２を形成し、それを１画素として後段にて処理することにより、第１の実施の形態のように深さ方向で特性の異なる受光部を構成する場合に比べ、より明確に色分離して白色光と赤色光を判別することができる。
【００４７】
また、従来、２つのレンズ、２つの受光素子（画素）を使用した場合、レンズの光学的なずれや、読み込みタイミングのずれなどから、同一の位置・時間信号として扱う場合、誤差が生じる。これに対し第１および第２の実施形態では、同一画素内に２つの分光感度特性を持った素子を形成することにより、結像した画像の位置の同一性および同時性が保たれ、これにより、誤差が生じることなく同一の位置・時間信号として扱うことができる。
【００４８】
上記実施形態によれば、以下のような効果を得ることができる。
（３）図１０に示したように、画像センサ３での各画素６０を、短波長の光の強度に応じた出力の第１受光素子６１と、第１受光素子６１に対し横方向に配置され、長波長の光の強度に応じた出力の第２受光素子６２とで構成し、この異なる分光感度特性をもつ第１および第２受光素子６１，６２の出力の比により白色光と先行車３０の尾灯３１からの赤色光を判別するようにした。よって、画像センサでの各画素に配置された異なる分光感度特性をもつ第１および第２受光素子６１，６２の出力の比により白色光と先行車の尾灯からの赤色光が判別される。よって、１つの画素で白色光と赤色光を判別でき、小型化を図ることが可能となる。また、共通のレンズ１５（図２参照）を用い、２つの光学系を不要にでき組み立て容易である。
【００４９】
（４）図１１に示したように、第２受光素子６２は、基板７０に、長波長の光以外の光も光電変換可能な受光部６２ａが形成され、受光部６２ａ上に長波長の光のみを通す色フィルタ７５が配置されて構成している。特に、この色フィルタ７５は、ポリマー自身で構成する、あるいは、染料または顔料を含んだポリマーで構成したので、一般的なカラー画像センサに用いられるような色フィルタを使用することにより、特殊な工程を使わずに色分離を行うことができる。
【００５０】
（５）図１４に示したように、第１受光素子６１と第２受光素子６２の出力は、画像センサとして同一位置の画素信号として処理される。また、第１受光素子６１と第２受光素子６２の出力は、画像センサとして同一時間の画素信号として処理される。即ち、第１および第２受光素子６１，６２が互いに接近しているので同一画素に投影された像においては同一位置の信号として処理することができる。また、読み込むタイミングを同じにすることにより、同一時間の信号であると見なすことができる。
【００５１】
以下、別例について説明する。
図１１に代わり、図１５や図１６に示す構成としてもよい。
図１５において、長波長のみを通す色フィルタ７７は、ＣＭＯＳ集積回路を形成する工程で形成される膜にて構成されている（兼ねている）。あるいは、色フィルタ７７は、受光部６２ａまたはＣＭＯＳ半導体回路を保護する保護膜を兼ねていてもよい。このように、通常のＣＭＯＳ集積回路を形成する工程において、例えば保護膜にて、色フィルタ７７を構成することにより、特殊な工程を使わずに色分離を行うことができる。
【００５２】
図１６において、長波長の光のみを通す色フィルタ７８は、受光部６２ａ上に形成されるマイクロレンズを兼ねている。これにより、通常の画像センサにて形成するマイクロレンズに色フィルタ機能を持たせることにより、特殊なフィルタ形成工程を使わずに色分離を行なうことができる。
【００５３】
また、図１０においては、短波長の光の強度に応じた電流を出力する第１受光素子６１と、長波長の光の強度に応じた電流を出力する第２受光素子６２は、同一画素内で隣り合って配置されていた。これに対し、図１７に示すように市松模様となるようにして、即ち、同一画素内に、２つの第１受光素子６１と２つの第２受光素子６２を、互いに交差するようにして配置する。これにより、画素に投影された像が小さい場合においても両方の受光素子６１，６２に同程度に光が当たるため同一位置の信号と見なすことができる。
【００５４】
また、さらに投影される像が小さいことが要求される場合（遠くの場合）、図１８（ｂ）に示すように、意図的に焦点をぼかして異なる分光感度の受光素子６１，６２に同程度に光が当たるようにしてもよい（像を大きくして第１および第２の受光素子６１，６２に当てる）。即ち、第１受光素子６１および第２受光素子６２と光学系に配したレンズとの関係において焦点をずらし、これにより、画素への光をぼかして第１受光素子６１および第２受光素子６２に光が回り込むようにする。焦点をずらす代わりにレンズと受光素子６１，６２との間に拡散部材等を配置してぼかすようにしてもよい。
【００５５】
詳しくは、図１８（ａ）に示すように、符号９０で示す光の当たる領域、即ち、結像面積が小さい場合（遠くの光の場合）、受光素子６１（または受光素子６２）に光がまたぐ場合があり、その場合出力比に誤差が生じる。これに対し、図１８（ｂ）に示すように、画素への光をぼかすことにより、符号９１で示すぼかさない場合の光の当たる領域を、符号９２で示すようにぼかした領域として、両方の受光素子６１，６２に同様に光りが当たることとなり、上記のような誤差を低減させることができる。図１０の場合も同様である。
【図面の簡単な説明】
【００５６】
【図１】実施形態における車両用ライト制御装置の全体の概略構成図。
【図２】車載用車両認識装置の光学系の構成図。
【図３】第１の実施形態での画像センサにおけるセンサチップの斜視図。
【図４】センサチップにおける１画素中の受光素子の縦断面図。
【図５】感度領域に対する相対感度を示す分光感度特性図。
【図６】白色光、赤色光についての出力を示す出力特性図。
【図７】感度領域に対する相対出力を示す光源分光放射強度特性図。
【図８】車両前方の進行方向を示す図。
【図９】処理後の画像を示す図。
【図１０】第２の実施形態におけるセンサチップの斜視図。
【図１１】センサチップの縦断面図。
【図１２】分光感度特性図。
【図１３】白色光、赤色光についての出力を示す出力特性図。
【図１４】車載用車両認識装置の回路構成図。
【図１５】別例のセンサチップの縦断面図。
【図１６】別例のセンサチップの縦断面図。
【図１７】別例のセンサチップの斜視図。
【図１８】（ａ），（ｂ）は焦点をずらさない場合とずらした場合についてのセンサチップの画素での結像図。
【符号の説明】
【００５７】
３…画像センサ、４…マイクロプロセッサ、１０…センサチップ、１１…受光素子、２０…Ｐ型シリコン基板、２１…Ｎ型領域、２２…Ｐ型領域、６０…画素、６１…第１受光素子、６２…第２受光素子、７５，７７，７８…色フィルタ。
【図１】
2007300054.tif 000003
【図２】
2007300054.tif 000004
【図３】
2007300054.tif 000005
【図４】
2007300054.tif 000006
【図５】
2007300054.tif 000007
【図６】
2007300054.tif 000008
【図７】
2007300054.tif 000009
【図８】
2007300054.tif 000010
【図９】
2007300054.tif 000011
【図１０】
2007300054.tif 000012
【図１１】
2007300054.tif 000013
【図１２】
2007300054.tif 000014
【図１３】
2007300054.tif 000015
【図１４】
2007300054.tif 000016
【図１５】
2007300054.tif 000017
【図１６】
2007300054.tif 000018
【図１７】
2007300054.tif 000019
【図１８】
2007300054.tif 000020